(57)【特許請求の範囲】
【請求項１】
空気膨脹気室からなる逆Ｕ字形状の複数の縦気柱と該縦気柱の間に連結した横気柱から骨格を形成しこの骨格の天面及び側面を覆う天幕布を設けた空気膨脹式テントであって、前記複数の縦気柱の左右の支柱部下端を帯状になる左右の台布の上に一体に固着設置し、該左右の台布の下面の長さ方向に断面Ｔ字形の抵抗体を設けてなり、前記左右の台布間は断面Ｔ字形の抵抗体を下面の長さ方向に一体に設けた吊り帯で連結して床面を解放した状態で縦気柱の左右支柱部の外側へ広がる応力を規制し、前記天幕布の裾部に水嚢を囲繞設置すると共に前記天幕布の側面にＶ字状の樋を設置し、該樋の下端を前記水嚢に導通案内して構成したことを特徴とする事件事故現場保存用テント。
【請求項２】
前記左右の台布及び吊り帯の下面に設けた抵抗体は、発泡ゴムのような弾性体になり平面状の座部から地面方向へ突出する突出片部を一体に有する断面Ｔ字形の長尺状に形成して、前記座部で台布及び吊り帯の下面に固着設置してなる請求項１記載の事件事故現場保存用テント。
【請求項３】
前記水嚢は下面に発泡ゴムからなる断面Ｔ字形の抵抗体を設置してなる請求項１記載の事件事故現場保存用テント。
【発明の詳細な説明】
【０００１】
【発明の属する技術分野】
本発明は、空気を充填すると骨格が形成されると同時にこの骨格の膨脹に伴って天幕布が展張すると共に床面を解放した状態で左右の支柱に作用する外側へ開く応力を規制し、事件、事故現場の物証を容易簡便に覆うことができる事件事故現場保存用テントに関するものである。
【０００２】
【従来の技術】
従来、屋外での事件、事故現場を保存する場合、現場の地面や路面を覆う防水シ−トが一般的に使用されている。
これとは別に、現場の状況によって、棒軸からなる支柱、棟、梁、桟等で組み立てた骨格に天幕布を張設する組立式のテントが稀に使用されている。
【０００３】
【発明が解決しようとする課題】
従来の技術で述べた前者の防水シ−トはシ−トを広げるだけで地面や路面を覆うことができて使用に簡便であるとしても、シ−トは風に吹き飛ばされ易いばかりでなく、シ−トが地面や路上に散乱する物証に直接接触した状態になっているので、風に煽られたシ−トが地面や路面を叩いて物証の保存に悪影響を与え、しかも、降雨によって雨水がシ−トの下に流れ込んで物証が汚されたり、流されたりするために、現場の保存性に適しているとは到底云えるものではなかった。
【０００４】
また、後者のテントは、地面や路上に散乱する物証に直接接触することがない点で良好な現場保存が可能であるとしても、骨格を組み立てる作業と天幕布を張設する作業があり、骨格の組み立てにあたっては、支柱、梁、棟等を支える人と連結具によって接続する人との少なくとも２名以上の人員を必要とするばかりでなく、テントの組立は極めて面倒で時間のかかる煩わしい作業であり、しかも、強風に煽られて骨格が変形すると復元力がないために骨格が崩壊して物証の保存に悪影響を与え、また、降雨によって雨水がテント内に流れ込んで物証が流されることがあり、防水シ−トと同様に現場保存には必ずしも適しているとは云えないものである。
【０００５】
そこで、従来の組立式のテントに代えて近年広く使用されている空気膨張式のテントを採用することが研究されている。この空気膨張式テントは、空気を充填すると膨脹する逆Ｕ字形状をなす複数の縦気柱と、同じく空気を充填すると膨脹する横気柱を前記複数の縦気柱の間に水平に連結して骨格を形成し、この骨格には天幕布が天面及び側面を覆うように設けられ、骨格の形成に伴って天幕布が展張される。しかし、この空気膨脹式テントの逆Ｕ字形状の縦気柱は、空気を充填すると、外方へ開く応力が常に作用している。それ故に、このような応力を規制するために、縦気柱の下端を床布に固定して骨格が外側へ開かないようにしている。つまり、骨格は、床布によって左右面対称となる所定の起立状態に維持される構造に形成されるものであるため、従来この種空気膨脹式テントを事件、事故現場の保存に使用すると、床布を地面に直接敷設されることになって、床布が地面に散乱する物証に直接に接触し、物証を地面や路面に強く押しつけるために前記防水シ−トを使用した場合と同様の不具合が生じる問題がある。
【０００６】
また、従来の空気膨脹式テントにおいて、床布を用いないで、床面を解放した状態にし、骨格を覆う天幕布のみによって骨格の外側へ開く応力を規制しようとすると、天幕布には出入り口が設けられ、この出入り口には一般にファスナ−のような結合具で開閉自在にしているが、この出入り口の開閉ができなくなるばかりでなく、縦気柱の幅方向へ開く方向の応力が、出入口のファスナ−や天幕布を破損させる問題があった。更に、降雨により雨水がテント内に流入する点で従来組み立てしテントと同様の問題を有している。
【０００７】
本発明は、上記の点に鑑みてなされたものであって、その目的とするところは、床布を用いないで床面を解放した状態で、逆Ｕ字形になる縦気柱の左右の支柱部が外方へ開く作用する応力を抑え、左右の側面を面対称の所定の起立状態を安定した状態を確実に保持すると共に、雨水のテント内への侵入を阻止し、事件事故現場の物証を確実安全に保存することを可能とする事件事故現場保存用テントを提供することにある。
【０００８】
【課題を解決するための手段】
上記目的を達成するために、本発明に係る事件事故現場保存用テントは、空気膨脹気室からなる逆Ｕ字形状の複数の縦気柱と該縦気柱の間に連結した横気柱から骨格を形成しこの骨格の天面及び側面を覆う天幕布を設けた空気膨脹式テントであって、前記複数の縦気柱の左右の支柱部下端を帯状になる左右の台布の上に一体に固着設置し、該左右の台布の下面の長さ方向に断面Ｔ字形の抵抗体を設けてなり、前記左右の台布間は断面Ｔ字形の抵抗体を下面の長さ方向に一体に設けた吊り帯で連結して床面を解放した状態で縦気柱の左右支柱部の外側へ広がる応力を規制し、前記天幕布の裾部に水嚢を囲繞設置すると共に前記天幕布の側面にＶ字状の樋を設置し、該樋の下端を前記水嚢に導通案内して構成する。また、前記左右の台布及び吊り帯の下面に設けた抵抗体は、発砲ゴムのような弾性体になり平面状の座部から地面方向へ突出する突出片部を一体に有する断面Ｔ字形の長尺状に形成して、前記座部で台布及び吊り帯の下面に固着設置してなる。
【０００９】
前記縦縦気柱は、左右の支柱部と梁部を一連的に接続して一体に形成され、横気柱は前記縦気柱の棟部位、桟部位に水平に連結架設し、前記縦気柱と横気柱とは一連的に連通されれて接続するのが好ましい。
【００１０】
前記水嚢は下面に発泡ゴムからなる断面Ｔ字形の抵抗体を設置してなるのが好ましい。
【００１１】
【発明の実施の形態】
図１は天幕布を一部切欠して示すテントの斜視図、図２はテントの骨格の横断平面図、図３は台布を断面で示す図２のＡ−Ａ線断面図、図４は吊り布を断面で示す図２のＢ−Ｂ線断面図、図５はテントを組み立てて示す斜視図で、テントＴの骨格１は、空気膨脹気室から左右の支柱部２ａ及び梁部２ｂを一連的に接続して一体になる逆Ｕ字形の複数の縦気柱２とこれらの複数の縦気柱２の間の棟部位及び桟部位に横気柱３を水平に連結架設し、これらの複数の縦気柱２と複数の横気柱３とは一連に連通されて組み立てられる。前記骨格２には、山型の天面部４ａと左右の側面部４ｂと前面部４ｃと背面部４ｄとを有してなる天幕布が一体に設置されて骨格１の全体を覆うって被覆設置され、天幕布４の前記前面部４ｃには出入口となる扉布５がスライドファスナ−等の結合具６により開閉自在に設けられている。
【００１２】
前記骨格１を形成する複数の縦気柱２は、図２及び図３に示すように、左右の支柱部２ａの下端を帯状になる左右の台布７の上にそれぞれ所定間隔を置いて一体に固着設置される。前記台布７はゴム引布又は熱可塑性引布からなり、この台布７の下面には発泡ゴムのような弾性体になる抵抗体８が設置され、この抵抗体８は座部８ａを有し且つ該座部８ａから地面方向へ突出する突出片部８ｂを一体に有する断面Ｔ字形の長尺状に形成されて、前記座部８ａで台布７の下面に一体に固着設置される。そして、前記左右の台布７の間には、図２及び図４に示すように、左右の台布７の一方端部及び他方端部で、それぞれに吊り帯９で連結して床面を解放した状態で、縦気柱２の左右の支柱部２ａ，２ａ間に作用する外方へ開く応力を規制し、テントＴの左右の側面が正しく面対称となる所定の起立形状を維持する。前記吊り帯９はその下面に、前記台布７に設けたと同じ抵抗体１０が一体に設置されて形成される。即ち、この抵抗体１０は発泡ゴムのような弾性体になり、座部１０ａから地面方向へ突出する突出片部１０ｂを一体に有する断面Ｔ字形の長尺状に形成され、前記座部１０ａで吊り帯９の裏面に接着剤で一体に接着設置される。なお、前記吊り帯９は、台布７の一方端部及び他方端部では、隅柱となる支柱部２ａ，２ａの真下となる位置に固着設置し、中間の間柱となる縦気柱２の左右の支柱部２ａ，２ａの真下にも設けるが、この間柱となる縦気柱２の場合は、保存すべき物証の邪魔になら程度に必要に応じて設置するのが好ましい。
【００１３】
図５に示すように、前記テントＴの周囲を囲繞する位置に水嚢１１が設けられ、テントＴの安定的な起立形状を更に確保する。前記水嚢１１は、図６に示すように、水密ファスナ−等により開閉自在にする注排水口１２を有して形成され、前記天幕布４の裾部にベルベットファスナ−等の連結具１３により着脱自在せしめられる。そして、前記天幕布４の左右の側面部４ｂには、図５に示すように、テ−プ等によりＶ字形状の樋１４を形成し、下方端部分に集合させて筒樋１５を介して前記水嚢１１に連通連結し、天幕布４を流れる雨水を集合して水嚢１１へ流入案内するようにする。
【００１４】
また、前記水嚢１１の下面には、図６に示すように、前記台布７及び吊り帯９に設けたと同様の座部１６ａと突出片部１６ｂを有してなる抵抗体１６を設置し、路面の雨水がテントＴの内部へ侵入するのを防止するのが好ましい。
【００１５】
なお、前記天幕布４は、側面の裾部を台布７にファスナ−１７で結着され、前面及び背面では、図４に示すように、左右の台布７の間に帯布１８を渡し、該帯布１８に対をなすベルベットファスナ−の一方のファスナ−１９を備えさせておき、天幕布４の前面及び背面の裾部に備える他方のファスナ−（図示せず）で結着するようにし、前記吊り布９は該帯布１８の下面に縫着により固着設置するのが好ましい。
【００１６】
また、前記台布７の下面に設けた抵抗体８は、図３に示すように、抵抗体８の座部８ａに帯布２０を接着剤２１で一体に接着形成し、該帯布２０で台布７に縫着により固着設置するのが好ましい。また更に、前記台布７の内側縁にはファスナ−２２を備えさせることで、グランドシ−ト（図示せず）を着脱自在にすることにより通常のテントとしての使用を可能にすることができる。
【００１７】
【発明の効果】
テントは縦気柱に備える注排気弁（図示せず）から空気を注入するのみで、縦気柱から棟部位及び桟部位に設けられている各横気柱を膨脹して骨格を形成すると同時に骨格の形成に伴って天幕布も展張される。そして、縦気柱を設置する台布７は、隅柱及び間柱を結合して足固めの機能を備えると共に柱を支持する土台の機能を有し、吊り帯が縦気柱の左右の支柱部の外側への広がりを規制し、床面を解放した状態で、テントの左右側面を面対称とする所定の起立状態を維持し、設営中のテントが強風に煽られれ変形しても骨格に備える復元力を十分に発揮させることにより常に正しい姿勢に復元する。特に、強風が吹くときには、台布の外側縁に接続した水嚢がテントの左右の外面全体に添って配置されることにより地面と台布との間の隙間からの風の吹き込みを阻止して安定したテントの設営状態を維持する。しかも、前記吊り帯によって縦気柱の左右の支柱部間の外側へ広がる応力を規制するので、出入口の開閉を自由に行うことができ、支柱部間の外側への広がる応力の作用によって出入口の結合具や天幕布を破損する恐れが完全に解消される。更に、台布、吊り帯及び水嚢に備える抵抗体がテント内への雨水の侵入を完全に阻止し、テント内の事件、事故現場の物証が雨水で汚されたり、流されたりすることもなくなり安心して保存することを可能にし、又更に、帯状の台布により、複数の縦気柱のそれぞれの左右の支柱部を確実に対称する位置に配置設置することを容易にしてテント自体の製造を容易簡便にする等の効果を奏する。
【図面の簡単な説明】
【図１】本発明の事件事故現場保存用テントで、天幕布を一部切欠して骨格を示す斜視図である。
【図２】本発明の事件事故現場保存用テントの横断平面図である。
【図３】本発明の台布の設置状態を示す図２のＡ−Ａ線断面図である。
【図４】本発明の吊り帯の設置状態を示す図２のＢ−Ｂ線断面図である。
【図５】本発明の事件事故現場保存用テントを組み立てて示す斜視図である。
【図６】本発明の水嚢の要部斜視図である。
【符号の説明】
Ｔ      テント
１      骨格
２      縦気柱
２ａ    支柱部
２ｂ    梁部
３      横気柱
４      天幕布
４ａ    天面部
４ｂ    側面部
４ｃ    全面部
４ｄ    背面部
５      扉布
６      結合具
７      台布
８      抵抗体
８ａ    座部
８ｂ    突出片部
９      吊り帯
１０    抵抗体
１０ａ  座部
１０ｂ  突出片部
１１    水嚢
１２    注排水口
１３    連結具
１４    Ｖ字形の樋
１５    筒樋
１６    抵抗体
１６ａ  座部
１６ｂ  突出片部
【図１】
0003777446.tif 000002
【図２】
0003777446.tif 000003
【図３】
0003777446.tif 000004
【図４】
0003777446.tif 000005
【図５】
0003777446.tif 000006
【図６】
0003777446.tif 000007